(57)【要約】      （修正有）【課題】  反射原稿及び透過原稿を高精度に読み取ることができる画像読み取り装置及びそれを実現するための撮像ユニットを提供する。【解決手段】  反射原稿載置領域に反射原稿を位置決めし、前記反射原稿載置領域より主走査方向の幅が狭い透過原稿載置領域に透過原稿を位置決めするプラテンと、前記反射原稿載置領域に向けて光を放射する反射原稿照明部と、前記透過原稿載置領域の外部領域に向けて光を放射する透過原稿照明部と、前記反射原稿載置領域の前記透過原稿照明部と反対側に設けられ、前記透過原稿照明部から放射された光を前記透過原稿載置領域に向けて反射する反射部と、前記反射原稿照明部に照明された前記反射原稿の反射光及び前記反射部を介して前記透過原稿照明部に照明された前記透過原稿の透過光を読み取るリニアイメージセンサと、を備えることを特徴とする画像読み取り装置。【選択図】  図１Ａ
2006311242.tif 000002
【特許請求の範囲】
【請求項１】
反射原稿載置領域に反射原稿を位置決めし、前記反射原稿載置領域より主走査方向の幅が狭い透過原稿載置領域に透過原稿を位置決めするプラテンと、
前記反射原稿載置領域に向けて光を放射する反射原稿照明部と、
前記透過原稿載置領域の外部領域に向けて光を放射する透過原稿照明部と、
前記反射原稿載置領域の前記透過原稿照明部と反対側に設けられ、前記透過原稿照明部から放射された光を前記透過原稿載置領域に向けて反射する反射部と、
前記反射原稿照明部に照明された前記反射原稿の反射光及び前記反射部を介して前記透過原稿照明部に照明された前記透過原稿の透過光を読み取るリニアイメージセンサと、
を備えることを特徴とする画像読み取り装置。
【請求項２】
前記反射原稿照明部、前記透過原稿照明部及び前記リニアイメージセンサを搭載しているキャリッジと、
前記キャリッジを副走査方向に移動させる副走査駆動部と、
をさらに備えることを特徴とする請求項１に記載の画像読み取り装置。
【請求項３】
前記反射部は、前記透過原稿照明部から放射された光を前記透過原稿に対して垂直な方向に反射することを特徴とする請求項１又は２に記載の画像読み取り装置。
【請求項４】
前記反射部の前記副走査方向から見た反射面の断面形状は一定であることを特徴とする請求項２に記載の画像読み取り装置。
【請求項５】
反射原稿載置領域に向けて光を放射する反射原稿照明部と、
前記反射原稿載置領域より主走査方向の幅が狭い透過原稿載置領域の外部領域に向けて光を放射する透過原稿照明部と、
前記反射原稿照明部に照明された反射原稿の反射光又は前記透過原稿照明部に反射面を介して間接照明された透過原稿の透過光を読み取るリニアイメージセンサと、
を備えることを特徴とする撮像ユニット。
【発明の詳細な説明】
【技術分野】
【０００１】
本発明は画像読み取り装置及び撮像ユニットに関し、特に反射原稿及び透過原稿を読み取る画像読み取り装置及び撮像ユニットに関する。
【背景技術】
【０００２】
従来、反射原稿及び透過原稿を読み取る画像読み取り装置が知られている。このような画像読み取り装置には、原稿載置領域の両側に透過原稿照明部と反射原稿照明部とを備えたものと、原稿載置領域の片側に共用照明部を備えたものがある。また、原稿載置領域の両側に透過原稿照明部と反射原稿照明部とを備える画像読み取り装置には、リニアイメージセンサとともに移動する線光源としての照明部で透過原稿を照明するものと、面光源としての照明部で透過原稿を照明するものとがある。
【０００３】
特許文献１、２、３に開示された画像読み取り装置は、透過原稿載置領域の下方に設けられたキャリッジに搭載される線光源としての共用照明部及びリニアイメージセンサと、透過原稿載置領域の上方に設けられた反射部とを備えている。線光源として照明部を構成することにより、照明部の消費電力を低減することができる。またリニアイメージセンサとともに移動する線光源で共用照明部を構成することにより、照明部を移動させるための消費電力を低減することができ、照明部を移動させるために必要な構造も簡素化することができる。
【０００４】
特許文献１、２、３に開示された画像読み取り装置によると、透過原稿読み取り時には、共用照明部から透過原稿に向けて光が放射され、透過原稿を透過した光が透過原稿載置領域の上方で反射部によって反射され、もう一度透過原稿を透過した光がリニアイメージセンサに入射する。透過原稿は入射光の一部を反射する。したがって、特許文献１、２、３に開示された画像読み取り装置によると、リニアイメージセンサには透過原稿の透過光のみならず透過原稿の反射光も入射するため、透過原稿を正確に読み取ることが困難である。また透過原稿に二度目に入射する光の照度は均一であることが要求されるが、特許文献１、２、３に開示された画像読み取り装置によると、透過原稿を一度透過することにより、透過原稿に二度目に入射する光の照度にはシェーディング補正不能な不均一性を生ずるおそれがある。
【０００５】
【特許文献１】特開平５−１９９３６９号公報
【特許文献２】特開２００３−３２４３９号公報
【特許文献３】特開２００３−９２６６７号公報
【発明の開示】
【発明が解決しようとする課題】
【０００６】
本発明は上述の問題を解決するために創作されたものであって、反射原稿及び透過原稿を高精度に読み取ることができる画像読み取り装置及びそれを実現するための撮像ユニットを提供することを目的とする。
【課題を解決するための手段】
【０００７】
（１）上記目的を達成するための画像読み取り装置は、反射原稿載置領域に反射原稿を位置決めし、前記反射原稿載置領域より主走査方向の幅が狭い透過原稿載置領域に透過原稿を位置決めするプラテンと、前記反射原稿載置領域に向けて光を放射する反射原稿照明部と、前記透過原稿載置領域の外部領域に向けて光を放射する透過原稿照明部と、前記反射原稿載置領域の前記透過原稿照明部と反対側に設けられ、前記透過原稿照明部から放射された光を前記透過原稿載置領域に向けて反射する反射部と、前記反射原稿照明部に照明された前記反射原稿の反射光及び前記反射部を介して前記透過原稿照明部に照明された前記透過原稿の透過光を読み取るリニアイメージセンサと、を備える。
透過原稿照明部から透過原稿載置領域の外部領域に向けて光を放射することにより、透過原稿の反射光がリニアイメージセンサに入射することを防止できる。透過原稿照明部から透過原稿載置領域の外部領域に向けて光を放射し、反射部を介して透過原稿照明部に照明された透過原稿の透過光をリニアイメージセンサによって読み取ることにより、リニアイメージセンサによって読み取られる透過原稿に入射する光の照度を均一化することができる。
【０００８】
（２）前記画像読み取り装置は、前記反射原稿照明部、前記透過原稿照明部及び前記リニアイメージセンサを搭載しているキャリッジと、前記キャリッジを副走査方向に移動させる副走査駆動部と、をさらに備えてもよい。
反射原稿照明部と透過原稿照明部とを１つのキャリッジに搭載することにより、反射原稿照明部と透過原稿照明部とを別々のキャリッジに搭載して移動させる場合に比べ、照明部を移動させるための消費電力を低減することができ、また照明部を移動させるための構造を簡素化することができる。透過原稿照明部とリニアイメージセンサとを１つのキャリッジに搭載することにより、照明部の照射範囲を狭くすることができるため、照明部の消費電力を低減することができる。
【０００９】
（３）前記反射部は、前記透過原稿照明部から放射された光を前記透過原稿に対して垂直な方向に反射してもよい。
透過原稿照明部から放射された光を反射部が透過原稿に対して垂直な方向に反射することにより、透過原稿の照度を増大させることができる。
【００１０】
（４）前記反射部の前記副走査方向から見た反射面の断面形状は一定であってもよい。
反射部の副走査方向から見た反射面の断面形状を一定にすることにより、反射部をリニアイメージセンサと同期して移動させる必要が無くなるため、画像読み取り装置の構造を簡素化することができる。
【００１１】
（５）上記目的を達成するための撮像ユニットは、反射原稿載置領域に向けて光を放射する反射原稿照明部と、前記反射原稿載置領域より主走査方向の幅が狭い透過原稿載置領域の外部領域に向けて光を放射する透過原稿照明部と、前記反射原稿照明部に照明された反射原稿の反射光又は前記透過原稿照明部に反射面を介して間接照明された透過原稿の透過光を読み取るリニアイメージセンサと、を備える。
透過原稿照明部から透過原稿載置領域の外部領域に向けて光を放射することにより、透過原稿の反射光がリニアイメージセンサに入射することを防止できる。透過原稿照明部から透過原稿載置領域の外部領域に向けて光を放射し、反射部を介して透過原稿照明部に照明された透過原稿の透過光をリニアイメージセンサによって読み取ることにより、リニアイメージセンサによって読み取られる透過原稿に入射する光の照度を均一化することができる。
【発明を実施するための最良の形態】
【００１２】
以下、複数の実施例に基づいて本発明の実施の形態を説明する。各実施例において同一の符号が付された構成要素は、その符号が付された他の実施例の構成要素と対応する。
（第一実施例）
（１）構成
図１Ａ、図１Ｂ、図１Ｃ及び図２は、本発明による画像読み取り装置の第一実施例としてのイメージスキャナ１の構造を示す模式図である。イメージスキャナ１は透明なガラス板からなる原稿台１６を備えるフラットベッド型で、密着型のイメージセンサを備える画像読み取り装置である。
【００１３】
プラテンとしての原稿台１６には透過原稿３２及び反射原稿４８が載置される。透過原稿３２は例えばストリップフィルム、マウントフィルム等の現像済写真フィルムである。透過原稿３２は図示しないホルダに係止された状態で原稿台１６に載置してもよいし、そのまま原稿台１６に載置してもよい。ホルダに係止された透過原稿３２は、例えば原稿台１６の縁部に設けられた図示しないガイドにホルダが当接すると原稿台１６上の透過原稿載置領域に位置決めされる。透過原稿載置領域の主走査方向の幅は原稿台１６上のほぼ全域に相当する反射原稿載置領域の主走査方向の幅の半分以下に設定することが望ましい。透過原稿用光源５４から放射した光をミラー１４とミラー１０で反射させ、ミラー１０の反射光を上方から透過原稿３２に入射させるとき、光路中で光を拡散させると透過原稿３２の照度が低下するからである。尚、セルフォックレンズアレイ（ＳＬＡ）１８、３０の被写界深度内に透過原稿３２及び反射原稿４８を位置決めするプラテンは、透過原稿３２を保持する不透明の枠状のホルダや透明板と白板で反射原稿４８を狭持するホルダで構成することもできる。
【００１４】
反射部としてのミラー１０及びミラー１４は、原稿台１６を間に挟んでリニアイメージセンサ２０等を搭載するキャリッジ２４と反対側に設けられている。ミラー１０及びミラー１４の反射面１２は、底辺を原稿台１６とする底角４５度の等脚台形の斜辺の軌跡に相当する。したがって原稿台１６が水平である場合、原稿台１６の下方から放射された光はミラー１４によって水平方向に反射されてミラー１０に向かい、さらにミラー１０によって鉛直下向きに反射され、透過原稿３２に垂直に入射する。反射部としてのミラー１４及びミラー１０の副走査方向から見た反射面１２の断面形状が一定であり、ミラー１４及びミラー１０の副走査方向の幅が透過原稿載置領域の副走査方向の幅以上であるため、反射部を透過原稿用リニアイメージセンサ２８と同期して副走査方向に移動させるモータ及びリンクは不要である。但し、ミラー１４及びミラー１０の反射面１２は、透過原稿３２のシェーディング補正が可能であれば平面でなくてもよく、例えば副走査方向に規則的にジグザグに屈曲していてもよい。また、透過原稿照明部２６から放射された光を透過原稿載置領域に向けて反射する反射部は、副走査方向から見た断面が台形状のプリズムによって構成してもよいし、１枚又は複数枚の曲面ミラーで構成してもよい。もちろん、反射部が副走査方向に移動する構造を採用するのであれば、反射部の副走査方向の幅を極めて狭く設定することもできる。
【００１５】
メインキャリッジ２４は透過原稿照明部２６、反射原稿照明部２２、ＳＬＡ３０、ＳＬＡ１８、透過原稿用リニアイメージセンサ２８及び反射原稿用リニアイメージセンサ２０を搭載している。メインキャリッジ２４は図２に示すようにサブキャリッジ３５上にばね３４によって支持されている。メインキャリッジ２４はばね３４に押されることによって原稿台１６に密着する。このためメインキャリッジ２４に搭載されたＳＬＡ３０、ＳＬＡ１８、透過原稿用リニアイメージセンサ２８及び反射原稿用リニアイメージセンサ２０が光軸方向に正確に位置決めされる。サブキャリッジ３５に固定されているリング４４は副走査方向に架設されているガイドロッド３６に沿って摺動する。サブキャリッジ３５はプーリ３８及びプーリ４６に掛けられたベルト４２に結合されている。プーリ３８はモータ４０によって駆動される。モータ４０が回転するとサブキャリッジ３５とともにメインキャリッジ２４が原稿台１６に沿って副走査方向に移動する。
【００１６】
ＳＬＡ１８はセルフォックレンズの配列方向が主走査方向に一致する姿勢でキャリッジ２４に固定されている。ＳＬＡ１８は反射原稿用リニアイメージセンサ２０の受光面に反射原稿４８の正立等倍像を結像させる。
反射原稿用リニアイメージセンサ２０は光電変換素子の配列方向が主走査方向に一致する姿勢でキャリッジ２４のＳＬＡ１８の直下に固定されている。反射原稿用リニアイメージセンサ２０は多数のフォトダイオード等からなる光電変換部とＣＣＤやＣＭＯＳ等の電荷転送部とで構成されている。
【００１７】
反射原稿照明部２２は導光体、拡散板、ＬＥＤ等からなる光源等で構成され、導光体の長手方向が主走査方向に一致する姿勢でメインキャリッジ２４のＳＬＡ１８の近傍に固定されている。反射原稿照明部２２は反射原稿４８を直接照明する。尚、反射原稿照明部２２を蛍光管で構成してもよい。
ＳＬＡ３０はセルフォックレンズの配列方向が主走査方向に一致する姿勢でメインキャリッジ２４に固定されている。ＳＬＡ３０は透過原稿用リニアイメージセンサ２８の受光面に透過原稿３２の正立等倍像を結像させる。ＳＬＡ３０の主走査方向の幅は透過原稿載置領域の主走査方向の幅にほぼ一致する。
【００１８】
透過原稿用リニアイメージセンサ２８は光電変換素子の配列方向が主走査方向に一致する姿勢でキャリッジ２４のＳＬＡ３０の直下に固定されている。透過原稿用リニアイメージセンサ２８は多数のフォトダイオード等からなる光電変換部とＣＣＤやＣＭＯＳ等の電荷転送部とで構成されている。
透過原稿照明部２６は導光体、拡散板、ＬＥＤ等からなる光源等で構成され、導光体の長手方向が主走査方向に一致する姿勢でキャリッジ２４に固定されている。透過原稿照明部２６の主走査方向の幅は、原稿台１６の主走査方向の幅から透過原稿載置領域の主走査方向の幅を引いた差よりも狭く設定されている。透過原稿照明部２６は透過原稿載置領域から主走査方向に離れてＳＬＡ３０と主走査方向に並ぶ位置に設けられている。このため、透過原稿照明部２６が透過原稿３２を直接照明することはなく、透過原稿照明部２６に照明された透過原稿３２の反射光がＳＬＡ３０を介して透過原稿用リニアイメージセンサ２８に入射することもない。尚、透過原稿照明部２６を蛍光管で構成してもよい。
以上説明したキャリッジ２４及びそれに搭載された機能部品が撮像ユニットを構成する。
【００１９】
図３はイメージスキャナ１の電気的構成を示すブロック図である。
ＣＰＵ６４はＲＯＭ６６に記憶されている制御プログラムを実行してイメージスキャナ１の各部を制御する。ＲＯＭ６６は制御プログラムを記憶している不揮発性のメモリである。ＲＡＭ７０は制御プログラム、スキャン画像データなどを一時的に記憶するメモリである。ＲＡＭコントローラ６８は、ＣＰＵ６４、ＡＦＥ部７６、画像処理部７４、外部インタフェース７２及びＲＡＭ７０の間のデータ転送を制御する。
【００２０】
反射原稿照明部２２を構成する反射原稿用光源５０はインバータ回路、制御回路等から構成される光源コントローラ５２によって点灯及び消灯が制御される。
透過原稿照明部２６を構成する透過原稿用光源５４はインバータ回路、制御回路等から構成される光源コントローラ５６によって点灯及び消灯が制御される。透過原稿照明部２６の副走査方向の幅は透過原稿載置領域の副走査方向の幅に比べて相当狭いため、透過原稿照明部２６で透過原稿載置領域の全体を一度に照明する場合に比べて透過原稿用光源５４の照度を相当小さくしても透過原稿載置領域の十分な照度を実現することができる。すなわち、透過原稿照明部２６を透過原稿用リニアイメージセンサ２８とともに副走査方向に移動させることにより透過原稿照明部２６の消費電力を低減することができる。また、ミラー１０が反射光によって透過原稿３２をその垂直方向から照明することも透過原稿照明部２６の消費電力の低減に貢献する。
【００２１】
反射原稿用リニアイメージセンサ２０はゲートパルス信号、シフトパルス信号等の制御パルス信号を出力する反射原稿センサコントローラ５８によって制御される。
透過原稿用リニアイメージセンサ２８はゲートパルス信号、シフトパルス信号等の制御パルス信号を出力する透過原稿センサコントローラ６０によって制御される。
メインキャリッジ２４を副走査方向に移動させるモータ４０は制御パルスを出力する副走査コントローラ６２によって制御される。モータ４０及び副走査コントローラ６２は副走査駆動部を構成する。透過原稿照明部２６が透過原稿用リニアイメージセンサ２８と同じメインキャリッジ２４に搭載されているため、透過原稿照明部２６を透過原稿用リニアイメージセンサ２８とは別に透過原稿用リニアイメージセンサ２８と同期して副走査方向に移動させるモータやリンクは不要である。すなわち、透過原稿照明部２６を透過原稿用リニアイメージセンサ２８と同じメインキャリッジ２４に搭載することにより、消費電力を低減し、構造を簡素化することができる。
【００２２】
アナログフロントエンド（ＡＦＥ）部７６は、ＣＤＳ（Correlated Double Sampling）処理、画像の黒レベルを再現するためのオプティカル・ブラック・クランプ制御、画像の電気信号のゲインの調整による電気信号のレベル調整処理、量子化処理等を行ってディジタル化されたスキャン画像データをＲＡＭコントローラ６８を介してＲＡＭ７４に格納する。
【００２３】
画像処理部７４は、ＲＡＭ７０に記憶されているスキャン画像データに対し、ガンマ補正、シェーディング補正等の画像処理を施すための信号処理をＣＰＵ６４と協働して行うＤＳＰ（Digital Signal Processor）である。尚、シェーディング補正やガンマ補正はイメージスキャナ１に接続されるＰＣ（Personal Computer）等の外部システムで行ってもよい。
外部インタフェース７２はイメージスキャナ１とＰＣ等の外部システムとを通信可能に接続する。
以上、イメージスキャナ１の構成について説明した。
【００２４】
（２）透過原稿の読み取り
透過原稿３２を読み取るとき、ＣＰＵ６４は透過原稿用光源５４を点灯させ、その結果透過原稿３２が次のように間接照明される。図１Ｂに示すように、透過原稿照明部２６から放射された光は透過原稿３２が載置されていない原稿台１６の領域を透過し、ミラー１４によってミラー１０の方向に反射される。ミラー１０で反射された光は、鉛直下向きに進み、透過原稿３２を垂直方向から照明する。透過原稿３２の透過光は、原稿台１６を透過してＳＬＡ３０に入射する。ＳＬＡ３０は透過原稿３２の透過光像を透過原稿用リニアイメージセンサ２８の受光面に結像させる。透過原稿用リニアイメージセンサ２８は受光した光を光電変換することにより、透過原稿３２の透過光像の濃淡に応じた電気信号を出力する。透過原稿用リニアイメージセンサ２８から出力された電気信号はＡＦＥ部７６によってＡＤ変換されてスキャン画像データとしてＲＡＭ７０に格納される。スキャン画像データは画像処理部７４によってシェーディング補正やガンマ補正が施された後、外部インタフェース７２からＰＣ等に出力される。以上の処理がメインキャリッジ２４の副走査方向の移動と平行してライン毎に繰り返されることによって透過原稿３２の全体を表すスキャン画像データがイメージスキャナ１から出力される。このようにイメージスキャナ１から出力される透過原稿３２のスキャン画像データは、透過原稿用光源５４から放射された光が透過原稿３２で反射したり、透過原稿３２を透過した光が再度透過原稿３２に入射することがないため、透過原稿３２を正確に表すことになる。
【００２５】
（３）反射原稿の読み取り
反射原稿４８を読み取るとき、ＣＰＵ６４は反射原稿用光源５０を点灯させ、その結果反射原稿４８が直接照明される。図１Ｃに示すように、反射原稿照明部２２から放射された光は原稿台１６を透過して反射原稿４８で反射する。反射原稿４８の反射光は再度原稿台１６を透過してＳＬＡ１８に入射する。ＳＬＡ１８は反射原稿４８の反射光像を反射原稿用リニアイメージセンサ２０の受光面に結像させる。反射原稿用リニアイメージセンサ２０は受光した光を光電変換することにより、反射原稿４８の反射光像の濃淡に応じた電気信号を出力する。反射原稿用リニアイメージセンサ２０から出力される電気信号は、透過原稿用リニアイメージセンサ２８から出力される電気信号と同様に処理される。
【００２６】
（第二実施例）
図４Ａ、図４Ｂ及び図４Ｃは本発明による画像読み取り装置の第二実施例としてのイメージスキャナ２の構造を示す模式図である。イメージスキャナ２の構成は透過原稿用リニアイメージセンサ２８及び透過原稿センサコントローラ６０が無い点をのぞけば第一実施例のイメージスキャナ１と実質的に同一である。
【００２７】
透過原稿３２を読み取るとき、ＣＰＵ６４は透過原稿用光源５４を点灯させ、その結果透過原稿３２が実質的に垂直方向から間接照明される。透過原稿３２の透過光は、原稿台１６を透過してＳＬＡ１８の透過原稿載置領域の直下部に入射する。ＳＬＡ１８は透過原稿３２の透過光像を反射原稿と透過原稿とに共用されるリニアイメージセンサ２０の受光面の透過原稿載置領域の直下部に結像させる。リニアイメージセンサ２０から出力される電気信号は第一実施例と同様に処理されるが、透過原稿３２の透過光像の濃淡に相関する信号は一部であるため、透過原稿３２の透過光像の濃淡に相関しない残部の信号を出力のために処理する必要はない。
第二実施例のイメージスキャナ２は、反射原稿と透過原稿の読み取りに共通のリニアイメージセンサ２０を用いるため、構成が簡素である。
【００２８】
（第三実施例）
図５Ａ、図５Ｂ、図５Ｃ及び図６は本発明による画像読み取り装置の第三実施例としてのイメージスキャナ３の構造を示す模式図である。イメージスキャナ３は縮小光学系を備えるレンズ縮小型の画像読み取り装置である。
キャリッジ９０は透過原稿照明部８２、反射原稿照明部８０、ミラー８６及びリニアイメージセンサ８４を搭載している。キャリッジ９０はモータ４０が回転すると原稿台１６に沿って副走査方向に移動する。
【００２９】
ミラー８６は長手方向が主走査方向に一致する姿勢でキャリッジ９０に固定されている。ミラー８６は透過原稿３２の透過光及び反射原稿４８の反射光をレンズ８８に向けて反射する。尚、複数のミラーを用いて原稿からリニアイメージセンサ８４に到る光路長を長くしてもよい。
レンズ８８は透過原稿３２の透過光像及び反射原稿４８の反射光像の縮小倒立像をリニアイメージセンサ８４の受光面に結像させる。
リニアイメージセンサ８４は光電変換素子の配列方向が主走査方向に一致する姿勢でレンズ８８の光軸上に固定されている。反射原稿４８の縮小倒立像は、リニアイメージセンサ８４の受光面のほぼ全域に結像し、透過原稿３２の縮小倒立像はリニアイメージセンサ８４の受光面の一部に結像する。
【００３０】
透過原稿照明部８２は導光体、拡散板、ＬＥＤ等からなる光源等で構成され、導光体の長手方向が主走査方向に一致する姿勢でキャリッジ９０に固定されている。透過原稿照明部８２の主走査方向の幅は、原稿台１６の主走査方向の幅から透過原稿載置領域の主走査方向の幅を引いた差よりも狭く設定されている。透過原稿照明部８２は透過原稿載置領域から主走査方向に離れた位置に設けられている。このため、透過原稿照明部８２が透過原稿３２を直接照明することはなく、透過原稿照明部８２に照明された透過原稿３２の反射光がミラー８６及びレンズ８８を介してリニアイメージセンサ８４に入射することもない。尚、透過原稿照明部８２を蛍光管で構成してもよい。
【００３１】
反射原稿照明部８０は蛍光管で構成され、蛍光管の長手方向が主走査方向に一致する姿勢でキャリッジ９０に固定されている。反射原稿照明部８０の主走査方向の幅は、反射原稿載置領域の主走査方向の幅にほぼ等しい。尚、反射原稿照明部８０を導光体、拡散板、ＬＥＤ等からなる光源等で構成してもよい。
第三実施例のイメージスキャナ３によると、縮小光学系を採用しているため、被写界深度が深く、原稿台１６から離れた原稿であっても鮮明に読み取ることができる。
【００３２】
（その他の実施例）
上述の第一実施例から第三実施例では、フラットベッド型イメージスキャナを例に本発明を説明したが、本発明はシートフィード型イメージスキャナに適用することもできるし、ファクシミリ、複合機等の他の画像読み取り装置に適用することもできる。また第三実施例では反射原稿４８と透過原稿３２の縮小光学系を共用したが、それぞれ別系統の縮小光学系で反射原稿４８と透過原稿３２をリニアイメージセンサ８４の受光面に結像させてもよいし、それぞれ別系統の縮小光学系で反射原稿４８と透過原稿３２を別々のリニアイメージセンサの受光面に結像させてもよい。
【図面の簡単な説明】
【００３３】
【図１Ａ】本発明の第一実施例にかかる模式図。
【図１Ｂ】本発明の第一実施例にかかる模式図。
【図１Ｃ】本発明の第一実施例にかかる模式図。
【図２】本発明の第一実施例にかかる模式図。
【図３】本発明の第一実施例にかかるブロック図。
【図４Ａ】本発明の第二実施例にかかる模式図。
【図４Ｂ】本発明の第二実施例にかかる模式図。
【図４Ｃ】本発明の第二実施例にかかる模式図。
【図５Ａ】本発明の第三実施例にかかる模式図。
【図５Ｂ】本発明の第三実施例にかかる模式図。
【図５Ｃ】本発明の第三実施例にかかる模式図。
【図６】本発明の第三実施例にかかる模式図。
【符号の説明】
【００３４】
１、２、３：イメージスキャナ、１０、１４：ミラー（反射部）、１６：原稿台、１８：反射原稿用リニアイメージセンサ２０：反射原稿用リニアイメージセンサ、２２：反射原稿照明部、２４：メインキャリッジ、２６：透過原稿照明部、２８：イメージセンサ、２８：透過原稿用リニアイメージセンサ、３２：透過原稿、３５：サブキャリッジ、４８：反射原稿、８０：反射原稿照明部、８２：透過原稿照明部、８４：リニアイメージセンサ、９０：キャリッジ
【図１Ａ】
2006311242.tif 000003
【図１Ｂ】
2006311242.tif 000004
【図１Ｃ】
2006311242.tif 000005
【図２】
2006311242.tif 000006
【図３】
2006311242.tif 000007
【図４Ａ】
2006311242.tif 000008
【図４Ｂ】
2006311242.tif 000009
【図４Ｃ】
2006311242.tif 000010
【図５Ａ】
2006311242.tif 000011
【図５Ｂ】
2006311242.tif 000012
【図５Ｃ】
2006311242.tif 000013
【図６】
2006311242.tif 000014